(57)【要約】【課題】録画予約を行う録画装置の中に携帯型録画装置が含まれていたとしても、予約された日時に実行される録画が失敗する危険性をユーザに回避させること。【解決手段】据置型録画装置１２の通信処理部４３が、携帯型録画装置により検出された携帯型録画装置の動作状況の情報を受信し、記憶部４４が、通信処理部４３により受信された動作状況の情報を記憶し、表示制御部４７が、携帯型録画装置が録画の予約情報を設定する装置として選択され、録画を実行する時間帯が指定された場合に、その時間帯に含まれる時刻に検出された動作状況の情報を記憶部４４から読み出し、読み出した動作状況の情報に基づいて、予約された日時における携帯型録画装置の動作状況の予測情報の表示を制御する。【選択図】図５
2013026771.tif 000002
【特許請求の範囲】
【請求項１】
予約された日時に番組の録画を実行する携帯型録画装置の動作状況の予測情報の表示を制御する予測情報表示制御装置であって、
前記携帯型録画装置により検出された該携帯型録画装置の動作状況の情報を受信する通信処理部と、
前記通信処理部により受信された前記動作状況の情報を記憶する記憶部と、
前記携帯型録画装置が前記録画の予約情報を設定する装置として選択され、該録画を実行する時間帯が指定された場合に、該時間帯に含まれる時刻に検出された動作状況の情報を前記記憶部から読み出し、読み出した動作状況の情報に基づいて、前記予約された日時における前記携帯型録画装置の動作状況の予測情報を表示する表示処理を制御する表示制御部と、
を備えることを特徴とする予測情報表示制御装置。
【請求項２】
予約された日時に番組の録画を実行する携帯型録画装置であって、
自装置の動作状況を検出する動作状況検出部と、
前記動作状況検出部により検出された動作状況の情報を記憶する記憶部と、
前記記憶部に記憶された前記動作状況の情報を出力する情報出力部と、
を備えることを特徴とする携帯型録画装置。
【請求項３】
前記録画に係る情報を表示する表示部をさらに備え、前記情報出力部は、前記録画を実行する時間帯が指定された場合に、該時間帯に含まれる時刻に検出された動作状況の情報を前記記憶部から検索し、検索の結果得られた動作状況の情報に基づいて、前記予約された日時における自装置の動作状況の予測情報を前記表示部に出力することを特徴とする請求項２に記載の携帯型録画装置。
【請求項４】
予約された日時に番組の録画を実行する携帯型録画装置の動作状況の予測情報を表示する予測情報表示方法であって、
前記携帯型録画装置により検出された該携帯型録画装置の動作状況の情報を受信する情報受信ステップと、
前記情報受信ステップにおいて受信した前記動作状況の情報を記憶部に記憶する情報記憶ステップと、
前記携帯型録画装置が前記録画の予約情報を設定する装置として選択され、該録画を実行する時間帯が指定された場合に、該時間帯に含まれる時刻に検出された動作状況の情報を前記記憶部から読み出し、読み出した動作状況の情報に基づいて、前記予約された日時における前記携帯型録画装置の動作状況の予測情報を表示する表示ステップと、
を含むことを特徴とする予測情報表示方法。
【請求項５】
予約された日時に録画を実行する携帯型録画装置の動作状況の情報を出力する動作状況情報出力方法であって、
前記携帯型録画装置の動作状況を検出する動作状況検出ステップと、
前記動作状況検出ステップにおいて検出した動作状況の情報を記憶部に記憶する記憶ステップと、
前記記憶ステップにおいて前記記憶部に記憶した前記動作状況の情報を出力する情報出力ステップと、
を含むことを特徴とする動作状況情報出力方法。
【請求項６】
請求項４に記載の予測情報表示方法をコンピュータに実行させることを特徴とするコンピュータプログラム。
【請求項７】
請求項５に記載の動作状況情報出力方法をコンピュータに実行させることを特徴とするコンピュータプログラム。
【発明の詳細な説明】
【技術分野】
【０００１】
本発明は、予約された日時に番組の録画を実行する携帯型録画装置の動作状況の予測情報の表示を制御する予測情報表示制御装置、予約された日時に番組の録画を実行する携帯型録画装置、予約された日時に番組の録画を実行する携帯型録画装置の動作状況の予測情報を表示する予測情報表示方法、予約された日時に録画を実行する携帯型録画装置の動作状況の情報を出力する動作状況情報出力方法、予測情報表示方法をコンピュータに実行させることを特徴とするコンピュータプログラム、および、動作状況情報出力方法をコンピュータに実行させるコンピュータプログラムに関する。
【背景技術】
【０００２】
近年、複数のＨＤＤレコーダやＤＶＤレコーダなどを接続し、さまざまな情報をレコーダ間で共有できるようにするホームネットワークが普及しつつある。このホームネットワークの技術分野においては、別々のレコーダにおいて予約された録画の情報を比較し、同じ録画予約が別々のレコーダにおいて重複してなされているかどうかを確認できる技術も提案されている。
【０００３】
例えば、特許文献１には、ユーザがあるＨＤＤレコーダに入力した録画予約情報が、そのＨＤＤレコーダとは別のＨＤＤレコーダに設定されている録画予約情報と重複する場合に、それらのＨＤＤレコーダの間の関係が分かるように色分けして各ＨＤＤレコーダのリストを表示する技術が開示されている。
【先行技術文献】
【特許文献】
【０００４】
【特許文献１】特開２００８−１３６１３６号公報
【発明の概要】
【発明が解決しようとする課題】
【０００５】
しかしながら、上述した特許文献１では、予約された日時に放送波を受信して録画を行うことのできる携帯型端末装置については何ら触れられておらず、携帯型端末装置に特有の以下のような問題から、録画が失敗するおそれがあった。
【０００６】
例えば、持ち運び可能な携帯型端末装置は、放送波の電波の強い地域に常にあるとは限らず、たとえ録画予約がなされたとしても、実際に録画を行う際に放送波を受信できないことも考えられる。また、実際に録画を行っている間に、携帯型端末装置の電池残量が少なくなり、途中で録画ができなくなることもあり得る。
【０００７】
本発明は、上記課題に鑑み、録画予約を行う録画装置の中に携帯型録画装置が含まれていたとしても、予約された日時に実行される録画が失敗する危険性をユーザに回避させることが可能な予測情報表示制御装置、携帯型録画装置、予測情報表示方法、動作状況情報出力方法、および、それらの方法をコンピュータに実行させるコンピュータプログラムを提供することを目的とする。
【課題を解決するための手段】
【０００８】
上記課題を解決する為に、本発明の第１の技術手段は、予約された日時に番組の録画を実行する携帯型録画装置の動作状況の予測情報の表示を制御する予測情報表示制御装置であって、前記携帯型録画装置により検出された該携帯型録画装置の動作状況の情報を受信する通信処理部と、前記通信処理部により受信された前記動作状況の情報を記憶する記憶部と、前記携帯型録画装置が前記録画の予約情報を設定する装置として選択され、該録画を実行する時間帯が指定された場合に、該時間帯に含まれる時刻に検出された動作状況の情報を前記記憶部から読み出し、読み出した動作状況の情報に基づいて、前記予約された日時における前記携帯型録画装置の動作状況の予測情報を表示する表示処理を制御する表示制御部と、を備えることを特徴とする。
【０００９】
本発明の第２の技術手段は、予約された日時に番組の録画を実行する携帯型録画装置であって、自装置の動作状況を検出する動作状況検出部と、前記動作状況検出部により検出された動作状況の情報を記憶する記憶部と、前記記憶部に記憶された前記動作状況の情報を出力する情報出力部と、を備えることを特徴とする。
【００１０】
本発明の第３の技術手段は、第２の技術手段において、前記録画に係る情報を表示する表示部をさらに備え、前記情報出力部は、前記録画を実行する時間帯が指定された場合に、該時間帯に含まれる時刻に検出された動作状況の情報を前記記憶部から検索し、検索の結果得られた動作状況の情報に基づいて、前記予約された日時における自装置の動作状況の予測情報を前記表示部に出力することを特徴とする。
【００１１】
本発明の第４の技術手段は、予約された日時に番組の録画を実行する携帯型録画装置の動作状況の予測情報を表示する予測情報表示方法であって、前記携帯型録画装置により検出された該携帯型録画装置の動作状況の情報を受信する情報受信ステップと、前記情報受信ステップにおいて受信した前記動作状況の情報を記憶部に記憶する情報記憶ステップと、前記携帯型録画装置が前記録画の予約情報を設定する装置として選択され、該録画を実行する時間帯が指定された場合に、該時間帯に含まれる時刻に検出された動作状況の情報を前記記憶部から読み出し、読み出した動作状況の情報に基づいて、前記予約された日時における前記携帯型録画装置の動作状況の予測情報を表示する表示ステップと、を含むことを特徴とする。
【００１２】
本発明の第５の技術手段は、予約された日時に録画を実行する携帯型録画装置の動作状況の情報を出力する動作状況情報出力方法であって、前記携帯型録画装置の動作状況を検出する動作状況検出ステップと、前記動作状況検出ステップにおいて検出した動作状況の情報を記憶部に記憶する記憶ステップと、前記記憶ステップにおいて前記記憶部に記憶した前記動作状況の情報を出力する情報出力ステップと、を含むことを特徴とする。
【００１３】
本発明の第６の技術手段は、上記予測情報表示方法をコンピュータに実行させることを特徴とするコンピュータプログラムである。
【００１４】
本発明の第７の技術手段は、上記動作状況情報出力方法をコンピュータに実行させることを特徴とするコンピュータプログラムである。
【発明の効果】
【００１５】
本発明によれば、録画予約を行う録画装置の中に携帯型録画装置が含まれていたとしても、録画を行う日前の録画を実行する時間帯に検出された携帯型録画装置の動作状況の情報に基づいて、予約された日時における携帯型録画装置の動作状況の予測情報を表示することにより、ユーザが予約された日時における携帯型録画装置の動作状況を予測することができ、予約録画が失敗する危険性を回避することができる。また、ユーザは、予測情報を参照することにより、録画予約を行う録画装置を適切に選択できる。
【図面の簡単な説明】
【００１６】
【図１】本発明に係る録画システムの構成の一例を説明する図である。
【図２】本発明に係る携帯型録画装置の構成の一例を示すブロック図である。
【図３】図２に示す録画予約情報の一例を示す図である。
【図４】図２に示す動作状況情報の一例を示す図である。
【図５】本発明に係る据置型録画装置の構成の一例を示すブロック図である。
【図６】図５に示した録画予約情報の一例を示す図である。
【図７】図５に示す装置別録画予約情報の一例を示す図である。
【図８】テレビ受像機に表示される録画予約設定画面の一例を示す図である。
【図９】テレビ受像機に表示される動作状況情報表示画面の一例を示す図である。
【図１０】テレビ受像機に表示される装置選択リストの一例を示す図である。
【図１１】本発明に係る携帯型録画装置が行う動作状況検出処理の処理手順の一例を示すフローチャートである。
【図１２】本発明に係る据置型録画装置が行う予測情報表示処理の処理手順の一例を示すフローチャートである。
【発明を実施するための形態】
【００１７】
以下、本発明の実施形態について図面を参照して詳細に説明する。図１は、本発明に係る録画システム１０の構成の一例を説明する図である。図１に示すように、この録画システム１０では、ＨＤＤレコーダやＤＶＤレコーダなどの据置型録画装置１２、１３と、アクセスポイント１４とが、ＬＡＮ（Local Area Network）１５で接続される。アクセスポイント１４は、携帯型録画装置１１をＬＡＮ１５に接続させる中継装置である。
【００１８】
携帯型録画装置１１は、テレビ番組を予約された日時に録画する予約録画機能、および、無線ＬＡＮで他の通信装置と通信を行う機能を有する携帯電話機などの装置である。この携帯型録画装置１１は、アクセスポイント１４を介してＬＡＮ１５に接続し、据置型録画装置１２、１３との間で通信を行う。
【００１９】
また、据置型録画装置１２は、ＨＤＭＩ（High-Definition Multimedia Interface）ケーブル１７によりテレビ受像機１６と接続される。据置型録画装置１２がテレビ番組の録画を予め予約された日時に行う場合には、録画予約の設定情報を入力するための画面がテレビ受像機１６に表示される。ユーザは、リモコン１８を操作し、上記画面上で録画予約の設定情報を入力することにより、録画予約を行うことができる。さらに、据置型録画装置１２は、携帯型録画装置１１や据置型録画装置１３との間で通信を行い、携帯型録画装置１１や据置型録画装置１３から受信した情報などをテレビ受像機１６に表示する。
【００２０】
つぎに、本発明に係る携帯型録画装置１１の構成について説明する。図２は、本発明に係る携帯型録画装置１１の構成の一例を示すブロック図である。図２に示すように、携帯型録画装置１１は、放送受信部２０、ネットワーク接続処理部２１、位置座標算出部２２、入力部２３、表示部２４、通話処理部２５、通信処理部２６、記憶部２７、録画処理部２８、動作状況検出部２９、情報出力部３０、制御部３１を備える。
【００２１】
放送受信部２０は、テレビ番組の放送局から放送された放送波を受信する処理部である。ネットワーク接続処理部２１は、通話、通信用のネットワークに対する接続処理を行う処理部である。位置座標算出部２２は、ＧＰＳ（Global Positioning System）衛星からの信号を受信し、受信した信号を用いて携帯型録画装置１１の現在位置の座標を算出する処理部である。具体的には、位置座標算出部２２は、携帯型録画装置１１の現在位置の緯度、経度を算出する。
【００２２】
入力部２３は、入力キーやタッチパネルなどのユーザ入力を受け付ける入力デバイスである。表示部２４は、文字や画像を表示する液晶ディスプレイなどの表示デバイスである。通話処理部２５、および、通信処理部２６は、ネットワーク接続処理部２１を介してネットワークに接続し、それぞれ通話処理、および、通信処理を実行する処理部である。
【００２３】
記憶部２７は、不揮発性メモリなどの記憶デバイスである。この記憶部２７は、ユーザ情報２７ａ、録画データ２７ｂ、録画予約情報２７ｃ、動作状況情報２７ｄなどを記憶する。ユーザ情報２７ａは、ユーザの個人情報などを含む情報である。例えば、ユーザ情報２７ａには、電話番号や電子メールの宛先情報、携帯型録画装置１１の位置情報などが含まれる。
【００２４】
ここで、携帯型録画装置１１の位置情報とは、緯度、経度の組に対応付けられた位置の名称（例えば、「会社」や「自宅」、「外出先」など）の情報である。位置座標算出部２２は、携帯型録画装置１１の現在位置の緯度、経度を算出すると、ユーザ情報２７ａに含まれる携帯型録画装置１１の位置情報を参照し、算出した緯度、経度の組に対応する位置の名称の情報を取得する。これにより、現在位置の緯度、経度が「会社」や「自宅」、「外出先」などの位置の名称の情報に置き換えられ、携帯型録画装置１１の現在位置がユーザにとって分かりやすいものとなる。
【００２５】
録画データ２７ｂは、録画されたテレビ番組の映像データである。録画予約情報２７ｃは、携帯型録画装置１１においてユーザにより設定されたテレビ番組の録画予約の情報である。図３は、図２に示す録画予約情報２７ｃの一例を示す図である。図３に示すように、録画予約情報２７ｃには、装置ＩＤ、装置名、録画タイトル、チャンネル番号、日付、曜日、録画開始時刻、録画終了時刻、録画モードの各項目が登録される。
【００２６】
装置ＩＤは、携帯型録画装置１１に割り当てられたＩＤの情報である。装置名は、携帯型録画装置１１に付与された名称の情報である。録画タイトルは、録画予約したテレビ番組のタイトルの情報である。チャンネル番号は、録画予約したテレビ番組のチャンネル番号の情報である。日付、および、曜日は、録画を行う日付、および、曜日の情報である。録画開始時刻、および、録画終了時刻は、録画を開始、および、終了する時刻の情報である。録画モードは、録画画質の設定などのモードの情報である。
【００２７】
動作状況情報２７ｄは、所定の期間内に、各曜日、各時間帯において検出された携帯型録画装置１１の動作状況の情報である。例えば、動作状況情報２７ｄには、過去３週間分の動作状況の情報が登録される。図４は、図２に示す動作状況情報２７ｄの一例を示す図である。図４に示すように、動作状況情報２７ｄには、日付、曜日、検出時刻、受信位置、電池残量、チャンネル番号、放送波受信感度の各項目が登録される。
【００２８】
日付、曜日、および、検出時刻は、受信位置、電池残量、放送波受信感度が検出された日付、曜日、および、検出時刻の情報である。受信位置は、検出された位置の情報である。この受信位置の情報は、位置座標算出部２２により登録された情報である。具体的には、位置座標算出部２２は、携帯型録画装置１１の位置の緯度、経度を算出した場合に、算出した緯度、経度の組に対応する位置の名称の情報（例えば、「自宅」、「会社」、「外出先」など）をユーザ情報２７ａから読み出し、読み出した情報を受信位置として登録する。電池残量は、検出された携帯型録画装置１１の電池残量の情報である。チャンネル番号は、受信した放送波のチャンネルの番号である。
【００２９】
放送波受信感度は、放送受信部２０が日付、曜日、および、検出時刻により特定される日時に受信した放送波の受信感度の情報である。放送波受信感度は、例えば、「高」、「中」、「低」の３段階に分けられる。すなわち、受信感度が、映像が途切れることなく視聴可能な第１の閾値以上である場合には「高」が放送波受信感度として登録される。また、受信感度が、第１の閾値未満であり、かつ、映像が時々途切れるものの、視聴に問題がない第２の閾値以上である場合には、「中」が放送波受信感度として登録される。そして、受信感度が、第２の閾値未満である場合には、「低」が放送波受信感度として登録される。第１の閾値、第２の閾値は、ユーザなどにより予め設定される。
【００３０】
この動作状況情報２７ｄに登録された情報は、携帯型録画装置１１がＬＡＮ１５に接続された場合に、ＬＡＮ１５を介して据置型録画装置１２に送信される。そして、据置型録画装置１２は、ユーザが録画予約を行う装置として携帯型録画装置１１を選択した場合に、録画を行う日前の、録画を実行する曜日、および、時間帯と同じ曜日、および、時間帯に検出された携帯型録画装置１１の動作状況の情報を、録画を行う日時における携帯型録画装置１１の動作状況を予測する予測情報としてテレビ受像機１６に表示させる。
【００３１】
ユーザの行動は、曜日、および、時間帯に応じてある程度パターン化されており、曜日、および、時間帯が同じであれば、携帯型録画装置１１が同じような動作状況にあることが期待される。そのため、後に説明するように、録画を行う曜日、時間帯と同じ曜日、時間帯に検出された携帯型録画装置１１の動作状況の情報（例えば、電池残量が少ない、放送波受信感度が低いなどの情報）を、録画を行う日時における携帯型録画装置１１の動作状況を予測する予測情報としてユーザに提示することにより、録画が失敗する可能性があるか否かをユーザが判断できるようになる。また、ユーザは、その予測情報を、録画予約を携帯型録画装置１１で行うべきか、据置型録画装置１２、１３で行うべきかの決定に役立てることができる。
【００３２】
また、録画を行う曜日、時間帯に受信感度が低いと録画が失敗する可能性があるが、動作状況の情報は、放送波の受信感度の状況の情報を含むので、放送波の受信感度の状況を予測情報としてユーザに通知することにより、ユーザは録画が失敗する危険性を回避することができる。すなわち、放送波受信感度が「低」である場合に、録画を行う装置として携帯型録画装置１１以外の録画装置をユーザが選択することにより、ユーザは上記危険性を回避できる。
【００３３】
また、例えば、受信位置が「外出先」である場合、ユーザが短時間で別の場所に移動し、放送波の受信状況が悪化する可能性があるが、動作状況の情報は、放送波の受信位置の状況の情報を含むので、放送波の受信位置の状況を予測情報としてユーザに通知することにより、ユーザは録画が失敗する危険性を回避することができる。すなわち、受信位置が「外出先」である場合に、ユーザが短時間で別の場所に移動する可能性があるので、録画を行う装置として携帯型録画装置１１以外の録画装置をユーザが選択することにより、ユーザは上記危険性を回避できる。
【００３４】
さらに、電池残量が少ないと録画処理が途中で停止し、録画が失敗する可能性があるが、動作状況の情報は、携帯型録画装置１１の電池残量の状況の情報を含むので、携帯型録画装置１１の電池残量の状況を予測情報としてユーザに通知することにより、ユーザは録画が失敗する危険性を回避することができる。すなわち、電池残量が少ない場合に、録画を行う装置として携帯型録画装置１１以外の録画装置をユーザが選択することにより、ユーザは上記危険性を回避できる。
【００３５】
図２の説明に戻ると、録画処理部２８は、テレビ番組の録画処理を実行する処理部である。具体的には、録画処理部２８は、入力部２３を介してユーザにより設定された録画予約の情報を受け付け、その設定情報を記憶部２７に録画予約情報２７ｂとして記憶する。また、録画処理部２８は、録画予約情報２７ｂに登録された録画モードで、登録された日時に、チャンネル番号に対応するテレビ番組の録画を行い、録画した映像のデータを記憶部２７に録画データ２７ｂとして記憶する。
【００３６】
動作状況検出部２９は、所定の時間間隔（例えば、３０分間隔など）で、携帯型録画装置１１の動作状況を検出する処理部である。具体的には、動作状況検出部２９は、図４を用いて説明した受信位置、電池残量、放送波受信感度を検出する。そして、動作状況検出部２９は、それらを検出した日の日付、曜日、時刻の情報とともに、受信位置、電池残量、チャンネル番号、放送波受信感度の情報を動作状況情報２７ｄとして記憶部２７に記憶する。
【００３７】
情報出力部３０は、記憶部２７に動作状況情報２７ｄとして記憶された情報を、ＬＡＮ１５に接続されている据置型録画装置１２に送信する処理部である。ここで、情報出力部３０は、ＬＡＮ１５への接続を、ネットワーク接続処理部２１を介して行う。
【００３８】
制御部３１は、携帯型録画装置１１全体を制御する処理部である。例えば、制御部３１は、各処理部間のデータの授受などを制御する。この制御部３１は、ＣＰＵ（Central Processing Unit）などにより構成される。
【００３９】
つぎに、本発明に係る据置型録画装置１２の構成について説明する。なお、据置型録画装置１３の構成は据置型録画装置１２の構成と同様であるので、説明を省略する。据置型録画装置１２は、特許請求の範囲における予測情報表示制御装置に対応する装置である。
【００４０】
図５は、本発明に係る据置型録画装置１２の構成の一例を示すブロック図である。図５に示すように、据置型録画装置１２は、入力部４０、リモコン信号受信部４１、表示部４２、通信処理部４３、記憶部４４、放送受信部４５、録画処理部４６、表示制御部４７、装置設定部４８、制御部４９を備える。
【００４１】
入力部４０は、入力キーなどの入力デバイスである。リモコン信号受信部４１は、ユーザが図１に示すリモコン１８を操作した場合に、操作の内容を示す信号をリモコン１８から受信する処理部である。据置型録画装置１２は、この信号に基づいて、ユーザによりなされた操作に応じた処理を実行する。表示部４２は、文字などを表示するＦＬ（Fluorescent Lamp）ディスプレイなどの表示デバイスである。通信処理部４３は、ＬＡＮ１５を介して接続された携帯型録画装置１１や据置型録画装置１３と、また、ＨＤＭＩケーブル１７により接続されたテレビ受像機１６と通信を行う処理部である。
【００４２】
記憶部４４は、メモリやハードディスク装置などの記憶デバイスである。この記憶部４４は、録画データ４４ａ、録画予約情報４４ｂ、装置別録画予約情報４４ｃ、動作状況情報４４ｄなどを記憶する。
【００４３】
録画データ４４ａは、録画されたテレビ番組の映像データである。録画予約情報４４ｂは、据置型録画装置１２に対してユーザにより設定されたテレビ番組の録画予約の情報である。図６は、図５に示した録画予約情報４４ｂの一例を示す図である。図６に示すように、録画予約情報４４ｂには、装置ＩＤ、装置名、録画タイトル、チャンネル番号、日付、曜日、録画開始時刻、録画終了時刻、録画モードの各項目が登録される。装置ＩＤは、据置型録画装置１２に割り当てられたＩＤの情報である。装置名は、据置型録画装置１２に付与された名称の情報である。録画タイトル、チャンネル番号、日付、曜日、録画開始時刻、録画終了時刻、録画モードは、それぞれ、図３を用いて説明した録画タイトル、チャンネル番号、日付、曜日、録画開始時刻、録画終了時刻、録画モードと同様の情報である。
【００４４】
図５の説明に戻ると、装置別録画予約情報４４ｃは、ＬＡＮ１５に接続された据置型録画装置１２以外の録画装置（図１の例では、携帯型録画装置１１や据置型録画装置１３）に対してユーザにより設定されたテレビ番組の録画予約の情報である。この情報は、各録画装置からＬＡＮ１５を介した通信により取得されたものである。
【００４５】
図７は、図５に示す装置別録画予約情報４４ｃの一例を示す図である。図７に示すように、録画予約情報４４ｃには、装置ＩＤ、装置名、録画タイトル、チャンネル番号、日付、曜日、録画開始時刻、録画終了時刻、録画モードの各項目が登録される。装置ＩＤは、ユーザによりテレビ番組の録画予約がなされた録画装置を識別するＩＤの情報である。装置名は、装置ＩＤにより識別される各録画装置に付与された名称の情報である。録画タイトル、チャンネル番号、日付、曜日、録画開始時刻、録画終了時刻、録画モードは、それぞれ、図３を用いて説明した録画タイトル、チャンネル番号、日付、録画開始時刻、録画終了時刻、録画モードと同様の情報である。
【００４６】
図５の説明に戻ると、動作状況情報４４ｄは、図４に示した動作状況情報２７ｃに登録された情報（日付、曜日、検出時刻、受信位置、電池残量、チャンネル番号、放送波受信感度）と同様の情報を、携帯型録画装置１１の装置ＩＤに対応付けて記憶した情報である。動作状況情報４４ｄに記憶された情報は、通信処理部４３が携帯型録画装置１１から受信した情報である。
【００４７】
放送受信部４５は、テレビ番組の放送局から放送された放送波の信号を受信する処理部である。録画処理部４６は、テレビ番組の録画処理を実行する処理部である。具体的には、録画処理部４６は、ユーザが入力部４０、あるいは、リモコン１８を操作して入力した録画予約の設定情報を受け付け、その設定情報を記憶部４４に録画予約情報４４ｂとして記憶する。また、録画処理部４６は、録画予約情報４４ｂに登録された録画モードで、登録された日時に、チャンネル番号に対応するテレビ番組の録画を行い、録画した映像のデータを記憶部４４に録画データ４４ａとして記憶する。
【００４８】
ユーザから録画予約の設定情報の入力を受け付ける場合、録画処理部４６は、テレビ受像機１６に録画予約設定画面を表示させる。図８は、テレビ受像機１６に表示される録画予約設定画面５０の一例を示す図である。図８に示すように、録画予約設定画面５０には、ユーザから録画予約の設定情報の入力を受け付ける設定入力領域５１、登録ボタン５２、キャンセルボタン５３が表示される。
【００４９】
設定入力領域５１には、録画タイトル、チャンネル番号、日時、曜日、録画開始時刻、録画終了時刻、録画モードの入力項目が表示される。そして、ユーザがリモコン１８や入力部４０を操作して各入力項目の設定を行い、登録ボタン５２を押下すると、その情報が記憶部４４の録画予約情報４４ｂに登録される。なお、ユーザがキャンセルボタン５３を押下すると、録画予約の設定がキャンセルされる。
【００５０】
図５の説明に戻ると、表示制御部４７は、予約された録画を行う日時における携帯型録画装置１１の動作状況の予測情報を、テレビ受像機１６に表示する表示制御を行う処理部である。
【００５１】
具体的には、表示制御部４７は、ユーザが入力部４０、あるいは、リモコン１８を操作して録画予約の設定情報を入力し、さらに録画予約を行う録画装置として携帯型録画装置１１を選択した場合に、記憶部４４から動作状況情報４４ｄを読み出す。そして、表示制御部４７は、ユーザにより入力された設定情報における曜日と同じ曜日であって、ユーザにより入力された設定情報における時間帯に検出時刻が含まれる動作状況の情報を動作状況情報４４ｄから検索し、検索の結果得られた情報を、録画を行う日時における携帯型録画装置１１の動作状況の予測情報としてテレビ受像機１６に表示させる。
【００５２】
図９は、テレビ受像機１６に表示される動作状況情報表示画面６０の一例を示す図である。図９に示すように、動作状況情報表示画面６０には、予約番組情報表示領域６１、動作状況情報表示領域６２ａ〜６２ｃ、登録ボタン６３、キャンセルボタン６４が表示される。
【００５３】
予約番組情報表示領域６１は、録画予約がなされている番組の情報が表示される領域である。具体的には、予約番組情報表示領域６１には、録画予約がなされている番組のタイトル、録画を行う日時および曜日、録画開始時刻、録画終了時刻の情報が表示される。
【００５４】
動作状況情報表示領域６２ａ〜６２ｃは、携帯型録画装置１１の動作状況の情報が、検出日時が新しい順に表示される領域である。具体的には、動作状況情報表示領域６２ａ〜６２ｃには、予約番組情報表示領域６１に表示されたテレビ番組が録画される日前において、そのテレビ番組が録画される曜日、および、時間帯と同じ曜日、および、時間帯に検出された携帯型録画装置１１の動作状況の情報（検出日時、放送波受信感度、受信位置、電池残量）が、録画を行う日時における携帯型録画装置１１の動作状況の予測情報として表示される。
【００５５】
このように、本発明では、表示制御部４７は、録画を実行する時間帯に加えて、録画を実行する曜日が指定された場合に、該曜日と同じ曜日、および、該時間帯に含まれる時刻に検出された動作状況の情報を記憶部４４から読み出し、読み出した動作状況の情報に基づいて、予約された日時における携帯型録画装置１１の動作状況の予測情報を表示する表示処理を制御する。
【００５６】
また、本発明では、前記携帯型録画装置１１の動作状況は、放送波の受信感度の状況、放送波の受信位置の状況、携帯型録画装置１１の電池残量の状況を含む。なお、携帯型録画装置１１の動作状況は、放送波の受信感度の状況、放送波の受信位置の状況、携帯型録画装置１１の電池残量の状況のすべての状況を含む必要は必ずしもなく、少なくとも１つの状況を含めばよい。
【００５７】
例えば、図９の例では、放送波受信感度が、２０１０年１２月２１日が「低」、２０１０年１２月１４日が「低」、２０１０年１２月７日が「中」であるので、録画を開始する２０１０年１２月２８日の時刻「１９：３０」においても、放送波受信感度が「低」、あるいは、「中」であることが予測される。ユーザは、この情報を参照することにより、録画を行う装置として携帯型録画装置１１以外の録画装置を選択し直すことができ、放送波受信感度が十分でないことにより録画が失敗する危険性をユーザは回避することができる。
【００５８】
なお、ここでは、表示制御部４７は、予約された番組の録画を実行する時間帯に含まれる動作状況情報の検出時刻として、その時間帯に含まれる最も早い動作状況情報の検出時刻を用いている。例えば、図９では、表示制御部４７は、録画開始時刻「１９：３０」から録画終了時刻「２１：００」の間の時間帯に含まれる動作状況情報の検出時刻として検出時刻「１９：３０」を用いている。そして、表示制御部４７は、検出時刻「１９：３０」に対応する放送波受信感度、受信位置、電池残量の情報を動作状況情報４４ｄから読み出し、動作状況情報表示領域６２ａ〜６２ｃに表示させている。
【００５９】
しかし、表示制御部４７は、予約された番組の録画を実行する時間帯に含まれる動作状況情報の検出時刻として、複数の検出時刻を用いることとしてもよい。例えば、携帯型録画装置１１が動作状況情報の検出を３０分毎に行っている場合、録画開始時刻「１９：３０」から録画終了時刻「２１：００」の間の時間帯には、４つの検出時刻「１９：３０」、「２０：００」、「２０：３０」、「２１：００」が含まれることになる（例えば、図４における日付が２０１０年１２月７日の検出時刻を参照）。
【００６０】
このような場合、表示制御部４７は、放送波受信感度、受信位置については、複数（上記の例では４つ）の検出時刻において出現頻度が最も多いものを、電池残量については、複数の検出時刻における電池残量の平均値を、その時間帯を代表する放送波受信感度、受信位置、電池残量として設定し、それらを動作状況情報表示領域６２ａ〜６２ｃに表示させてもよい。ここで、電池残量が「充電中」の場合は、電池残量は１００％と見なせばよい。
【００６１】
登録ボタン６３は、録画予約を確定するためのボタンである。ユーザがリモコン１８や入力部４０を操作して登録ボタン６３を押下すると、予約番組情報表示領域６１に情報が表示されたテレビ番組を録画する録画装置が、携帯型録画装置１１に設定される。キャンセルボタン６４は、録画予約処理をキャンセルするためのボタンである。ユーザがリモコン１８や入力部４０を操作してキャンセルボタン６４を押下すると、予約番組情報表示領域６１に情報が表示されたテレビ番組を録画する録画装置を携帯型録画装置１１に設定する処理がキャンセルされる。
【００６２】
図５の説明に戻ると、装置設定部４８は、録画予約されたテレビ番組を録画する録画装置を設定する処理部である。具体的には、装置設定部４８は、ユーザがリモコン１８や入力部４０を操作して録画予約の設定情報を入力した場合に、記憶部４４から録画予約情報４４ｂを読み出し、録画予約情報４４ｂに登録された録画予約の情報の中に、ユーザにより入力された設定情報と録画を行う日が同一で、ユーザにより入力された設定情報と録画を行う時間帯が少なくとも一部重複する情報が登録されているか否かを判定する。日時が重複していると、録画できなくなるテレビ番組が生じるため、このような判定が行われる。
【００６３】
このような情報が据置型録画装置１２の録画予約情報４４ｂに登録されていない場合、装置設定部４８は、上記録画予約の対象であるテレビ番組を録画する録画装置を据置型録画装置１２に設定する。このような情報が録画予約情報４４ｂに登録されている場合、装置設定部４８は、装置別録画予約情報４４ｃを記憶部４４から読み出し、装置別録画予約情報４４ｃに登録された録画予約の情報の中に、ユーザにより入力された設定情報と録画を行う日が同一で、ユーザにより入力された設定情報と時間帯が少なくとも一部重複する情報が登録されているか否かを判定する。そのような録画予約の情報が登録されている場合、装置設定部４８は、その情報に対応する装置名の情報を装置別録画予約情報４４ｃから読み出し、その録画予約の情報が設定された装置名を特定する。
【００６４】
さらに、装置設定部４８は、録画予約を行う装置をユーザに選択させるため、ＬＡＮ１５に接続された各録画装置の装置名を示す装置選択リストをテレビ受像機１６に表示させる。その際、装置設定部４８は、上記処理において特定した装置名を他の録画装置の装置名とは異なる表示態様で表示する。
【００６５】
図１０は、テレビ受像機１６に表示される装置選択リスト７０の一例を示す図である。図１０に示すように、装置選択リスト７０には、装置選択ボタン７１ａ〜７１ｃ、選択確定ボタン７２、キャンセルボタン７３が表示される。装置選択ボタン７１ａ〜７１ｃは、録画予約の設定を行う録画装置の選択をユーザから受け付けるボタンである。
【００６６】
装置選択ボタン７１ａ〜７１ｃには、図６に示した録画予約情報４４ｂに登録された据置型録画装置１２の装置名「ＨＤＤレコーダ２」、図７に示した装置別録画予約情報４４ｃに登録された携帯型録画装置１１の装置名「携帯電話１」、据置型録画装置１３の装置名「ＨＤＤレコーダ３」が表示される。ここで、ユーザにより入力された設定情報と録画を行う日が同一で、ユーザにより入力された設定情報と時間帯が少なくとも一部重複する情報が登録された録画装置の装置名が表示される装置選択ボタン７１ｂは、例えば、他の装置選択ボタン７１ａ、７１ｃとは異なる色で表示される。
【００６７】
装置選択ボタン７１ａ〜７１ｃのいずれかがユーザによるリモコン１８、あるいは、入力部４０の操作により押下され、さらに選択確定ボタン７２が押下されると、装置設定部４８は、押下された装置選択ボタン７１ａ〜７１ｃに対応する装置を、録画を行う録画装置として設定する。具体的には、装置設定部４８は、ユーザにより入力された設定情報（録画タイトル、チャンネル番号、日付、曜日、録画開始時刻、録画終了時刻、録画モード）を、押下された装置選択ボタン７１ａ〜７１ｃに対応する録画装置に対して送信し、その録画装置に対して録画予約の設定を行う。
【００６８】
図１０の例では、装置選択ボタン７１ｂが、他の装置選択ボタン７１ａ、７１ｃとは異なる色で表示されている。このことは、ユーザにより入力された設定情報と録画を行う日が同一で、ユーザにより入力された設定情報と時間帯が少なくとも一部重複する情報が据置型録画装置１２（ＨＤＤレコーダ２）に登録されていることを示している。この場合、ユーザは、録画予約を行う録画装置として、携帯型録画装置１１（携帯電話機１）、あるいは、据置型録画装置１３（ＨＤＤレコーダ３）を選択することになる。そして、装置設定部４８は、ユーザにより選択された携帯型録画装置１１、あるいは、据置型録画装置１３に対して、ユーザにより入力された設定情報を送信し、録画予約の設定を行う。
【００６９】
なお、ここでは、装置設定部４８はが、ユーザにより入力された設定情報と録画を行う日が同一で、ユーザにより入力された設定情報と時間帯が少なくとも一部重複する情報が登録されている録画装置（図１０の例では、据置型録画装置１２（ＨＤＤレコーダ２））についても、装置選択ボタン７１ｂを装置選択リスト７０に表示することとしているが、その録画装置の装置選択ボタン７１ｂを表示しないこととしてもよい。これにより、ユーザがその録画装置の装置選択ボタン７１ｂを選択してしまうことを防止することができ、録画できなくなるテレビ番組が生じることを避けることができる。
【００７０】
制御部４９は、据置型録画装置１２全体を制御する処理部である。例えば、制御部４９は、各処理部間のデータの授受などを制御する。この制御部４９は、ＣＰＵなどにより構成される。
【００７１】
つぎに、本発明に係る携帯型録画装置１１が行う動作状況検出処理について説明する。図１１は、本発明に係る携帯型録画装置１１が行う動作状況検出処理の処理手順の一例を示すフローチャートである。
【００７２】
図１１に示すように、携帯型録画装置１１の入力部２３が、ユーザにより携帯型録画装置１１の電源をオンにする指示を受け付けると、制御部３１は、各処理部の電源をオンにする（ステップＳ１０１）。
【００７３】
そして、動作状況検出部２９は、携帯型録画装置１１の動作状況を検出する時刻に達したか否かを判定する（ステップＳ１０２）。携帯型録画装置１１の動作状況を検出する時刻に達していない場合（ステップＳ１０２においてＮＯの場合）、動作状況検出部２９は、その時刻に達するまで、ステップＳ１０２における判定処理を繰り返す。この時刻は、予め設定され、記憶部２７などに記憶されているものとする。
【００７４】
携帯型録画装置１１の動作状況を検出する時刻に達した場合（ステップＳ１０２においてＹＥＳの場合）、動作状況検出部２９は、放送受信部２０が放送波を受信したか否かを判定する（ステップＳ１０３）。放送受信部２０が放送波を受信していない場合（ステップＳ１０３においてＮＯの場合）、動作状況検出部２９は、放送受信部２０が放送波を受信するまで、ステップＳ１０３における判定処理を繰り返す。
【００７５】
放送受信部２０が放送波を受信した場合（ステップＳ１０３においてＹＥＳの場合）、動作状況検出部２９は、携帯型録画装置１１の動作状況を検出する（ステップＳ１０４）。具体的には、動作状況検出部２９は、図４に示す日付、曜日、検出時刻、受信位置、電池残量、チャンネル番号、放送波受信感度を検出する。
【００７６】
その後、動作状況検出部２９は、記憶部２７にすでに動作状況情報２７ｄが記憶されているか否かを判定する（ステップＳ１０５）。記憶部２７に動作状況情報２７ｄが記憶されていない場合（ステップＳ１０５においてＮＯの場合）、動作状況検出部２９は、記憶部２７に動作状況情報２７ｄを新規に記憶する（ステップＳ１０６）。記憶部２７に動作状況情報２７ｄが記憶されている場合（ステップＳ１０５においてＹＥＳの場合）、動作状況検出部２９は、検出した携帯型録画装置１１の動作状況を動作状況情報２７ｄに追加し、動作状況情報２７ｄを更新する（ステップＳ１０７）。
【００７７】
ステップＳ１０６、あるいは、ステップＳ１０７の処理の後、動作状況検出部２９は、すべてのチャンネルについて放送波受信感度の検出が終了したか否かを判定する（ステップＳ１０８）。放送波受信感度の検出が終了していないチャンネルがある場合（ステップＳ１０８においてＮＯの場合）、動作状況検出部２９は、放送波受信感度の検出対象をつぎのチャンネルに切り替える（ステップＳ１０９）。
【００７８】
具体的には、動作状況検出部２９は、放送受信部２０に対して、受信する放送波のチャンネルを、放送波受信感度の検出が終了していないチャンネルに切り換える信号を送信する。この結果、受信する放送波が放送波受信感度の検出が終了していないチャンネルに切り換えられる。ステップＳ１０９の後、動作状況検出部２９は、切り替え後のチャンネルの放送波に対して、ステップＳ１０３以降の処理を実行する。
【００７９】
ステップＳ１０８において、放送波受信感度の検出が終了していないチャンネルがない場合（ステップＳ１０８においてＹＥＳの場合）、動作状況検出部２９は、携帯型録画装置１１の電源をオフにする入力をユーザから受け付けたか否かを判定する（ステップＳ１１０）。電源をオフにする入力をユーザから受け付けていない場合（ステップＳ１１０においてＮＯの場合）、ステップＳ１０２に移行し、それ以降の処理が実行される。電源をオフにする入力をユーザから受け付けた場合（ステップＳ１１０においてＹＥＳの場合）、制御部３１は、各処理部の電源をオフにし（ステップＳ１１１）、この動作状況検出処理を終了する。
【００８０】
つぎに、本発明に係る据置型録画装置１２が行う予測情報表示処理について説明する。図１２は、本発明に係る据置型録画装置１２が行う予測情報表示処理の処理手順の一例を示すフローチャートである。なお、据置型録画装置１２は、各録画装置（例えば、携帯型録画装置１１、据置型録画装置１３など）に対してなされた録画予約の設定情報をＬＡＮ１５を介して受信し、受信した設定情報を記憶部４４に装置別録画予約情報４４ｃとして記憶しているものとする。また、据置型録画装置１２は、携帯型録画装置１１が検出した動作状況の情報をＬＡＮ１５を介して受信し、受信した設定情報を記憶部４４に動作状況情報４４ｄとして記憶しているものとする。
【００８１】
据置型録画装置１３からの設定情報の受信処理は、例えば、据置型録画装置１３に設定情報が登録された時点で行われる。また、携帯型録画装置１１からの設定情報、および、動作状況の情報の受信処理は、アクセスポイント１４の無線通信圏内にユーザが携帯型録画装置１１を持ち運んだ際などに行われる。
【００８２】
図１２に示すように、据置型録画装置１２の入力部４０、あるいは、リモコン信号受信部４１は、ユーザが入力部４０、あるいは、リモコン１８を操作して入力した録画予約の設定情報を受け付ける（ステップＳ２０１）。
【００８３】
そして、装置設定部４８は、図６に一例を示した録画予約情報４４ｂを記憶部４４から読み出す（ステップＳ２０２）。続いて、装置設定部４８は、ユーザにより入力された設定情報と録画を行う日が同一で、ユーザにより入力された設定情報と録画を行う時間帯が少なくとも一部重複する情報が録画予約情報４４ｂに登録されているか否かを判定する（ステップＳ２０３）。
【００８４】
ユーザにより入力された設定情報と録画を行う日が同一で、ユーザにより入力された設定情報と録画を行う時間帯が少なくとも一部重複する情報が録画予約情報４４ｂに登録されていない場合（ステップＳ２０３においてＮＯの場合）、装置設定部４８は、ユーザにより設定情報が入力された録画を行う録画装置を据置型録画装置１２に設定する（ステップＳ２１１）。具体的には、装置設定部４８は、ユーザにより入力された設定情報を録画予約情報４４ｂに登録する処理を行う。据置型録画装置１２の録画処理部４６は、録画予約情報４４ｂに登録された設定情報に基づいて、予約された日時に録画を行う。
【００８５】
ユーザにより入力された設定情報と録画を行う日が同一で、ユーザにより入力された設定情報と録画を行う時間帯が少なくとも一部重複する情報が録画予約情報４４ｂに登録されている場合（ステップＳ２０３においてＹＥＳの場合）、装置設定部４８は、図７に一例を示した装置別録画予約情報４４ｃを記憶部４４から読み出す（ステップＳ２０４）。続いて、装置設定部４８は、ユーザにより入力された設定情報と録画を行う日が同一で、ユーザにより入力された設定情報と録画を行う時間帯が少なくとも一部重複する情報が装置別録画予約情報４４ｃに登録されているか否かを判定する（ステップＳ２０５）。
【００８６】
その後、装置設定部４８は、図１０に一例を示した装置選択リスト７０をテレビ受像機１６に表示させる（ステップＳ２０６）。ここで、装置設定部４８は、ステップＳ２０５においてなされた判定の結果に基づいて、ユーザにより入力された設定情報と録画を行う日が同一で、ユーザにより入力された設定情報と録画を行う時間帯が少なくとも一部重複する情報が登録されている録画装置（図１０の例では、据置型録画装置１２（ＨＤＤレコーダ２））について、装置選択ボタン７１ａ〜７１ｃの表示色を他の録画装置の表示色とは異なる表示色で表示させる。
【００８７】
その後、装置設定部４８は、ユーザにより設定情報が入力された録画予約を行う録画装置の選択をユーザから受け付ける（ステップＳ２０７）。具体的には、ユーザが入力部４０、あるいは、リモコン１８を操作して押下した装置選択ボタン７１ａ〜７１ｃの情報を入力部４０、あるいは、リモコン信号受信部４１から取得する。
【００８８】
そして、装置設定部４８は、ユーザにより携帯型録画装置１１が選択されたか否かを判定する（ステップＳ２０８）。ユーザにより携帯型録画装置１１が選択されず、据置型録画装置１２、１３が選択された場合（ステップＳ２０８においてＮＯの場合）、装置設定部４８は、ユーザにより設定情報が入力された録画予約を行う録画装置を据置型録画装置１２、１３に設定する（ステップＳ２１１）。
【００８９】
具体的には、ユーザにより据置型録画装置１２が選択された場合、装置設定部４８は、ユーザにより入力された設定情報を録画予約情報４４ｂに登録する。また、ユーザにより据置型録画装置１３が選択された場合、装置設定部４８は、ユーザにより入力された設定情報を据置型録画装置１３に送信し、送信した設定情報を据置型録画装置１３に録画予約情報として登録させる。据置型録画装置１２、１３は、登録された設定情報に基づいて、予約された日時に録画を行う。
【００９０】
ステップＳ２０８において、ユーザにより携帯型録画装置１１が選択された場合（ステップＳ２０８においてＹＥＳの場合）、表示制御部４７は、記憶部４４に記憶された動作状況情報４４ｄを読み出し、動作状況情報４４ｄに基づいて、図９に一例を示した動作状況情報表示画面６０をテレビ受像機１６に表示させる（ステップＳ２０９）。
【００９１】
その後、装置設定部４８は、携帯型録画装置１１に対する録画予約の登録指示をユーザから受け付けたか否かを判定する（ステップＳ２１０）。具体的には、装置設定部４８は、ユーザがリモコン１８や入力部４０を操作して、図９に示す登録ボタン６３を押下したか否かを判定する。
【００９２】
携帯型録画装置１１に対する録画予約の登録指示をユーザから受け付けず、図９に示すキャンセルボタン６４が押下された場合（ステップＳ２１０においてＮＯの場合）、ステップＳ２０６に移行して、装置設定部４８は、図１０に一例を示した装置選択リスト７０をテレビ受像機１６に表示させる。ここで、装置設定部４８は、携帯型録画装置１１に対応する装置選択ボタン７１ａを表示しないこととしてもよい。そして、装置設定部４８は、携帯型録画装置１１以外の録画装置の中から、ユーザにより設定情報が入力された録画予約を行う録画装置の選択をユーザから受け付け（ステップＳ２０７）、それ以後の処理が実行される。
【００９３】
このように、本発明では、表示制御部４７による制御により、動作状況の予測情報が表示された後、携帯型録画装置１１の選択が解除された場合に、装置設定部４８は、携帯型録画装置１１以外の録画装置に録画の予約情報を設定する。
【００９４】
携帯型録画装置１１に対する録画予約の登録指示をユーザから受け付けた場合（ステップＳ２１０においてＹＥＳの場合）、装置設定部４８は、ユーザにより設定情報が入力された録画予約を行う録画装置を携帯型録画装置１１に設定する（ステップＳ２１１）。具体的には、装置設定部４８は、ユーザにより入力された設定情報を携帯型録画装置１１にＬＡＮ１５を介して送信し、送信した設定情報を携帯型録画装置１１の記憶部２７に録画予約情報２７ｃとして登録させる。そして、携帯型録画装置１１は、登録された設定情報に基づいて、予約された日時に録画を行う。
【００９５】
さて、これまで携帯型録画装置、予測情報表示制御装置、予測情報出力方法、および、予測情報表示方法の実施形態を中心に説明を行ったが、本発明はこれらの実施形態に限定されるものではなく、携帯型録画装置、予測情報表示制御装置の機能を実現するためのコンピュータプログラムとしての形態、あるいは、当該コンピュータプログラムが記録されたコンピュータ読み取り可能な記録媒体の形態として本発明が実施されることとしてもよい。
【００９６】
すなわち、本発明は、上記予測情報表示方法をコンピュータに実行させるコンピュータプログラムを記録したことを特徴とするコンピュータが読み取り可能な記録媒体を含む。また、本発明は、後に説明する動作状況情報出力方法をコンピュータに実行させるコンピュータプログラム、および、そのコンピュータプログラムを記録したことを特徴とするコンピュータが読み取り可能な記録媒体を含む。
【００９７】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【００９８】
これら記録媒体に上記実施形態における携帯型録画装置、予測情報表示制御装置の機能を実現させるコンピュータプログラム、または、予測情報出力方法、予測情報表示方法をコンピュータに実行させるコンピュータプログラムを記録して流通させることにより、コストの低廉化、及び可搬性や汎用性を向上させることができる。
【００９９】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る携帯型録画装置、予測情報表示制御装置の機能を実現し、予測情報出力方法、予測情報表示方法を実行することができる。
【０１００】
また、本発明は上述した実施形態に限定されず、本発明の要旨を逸脱しない範囲内で各種の変形、修正が可能である。例えば、上記実施形態の図９では、動作状況情報表示領域６２ａ〜６２ｃに、複数の動作状況情報を表示することとしたが、それらの情報を代表する代表情報を生成し、生成した代表情報を表示することとしてもよい。
【０１０１】
この場合、例えば、放送波受信感度、受信位置については、複数（図９の例では３つ）の動作状況情報において出現頻度が最も多いものが、電池残量については、複数の動作状況情報における電池残量の平均値が、複数の動作状況情報を代表する放送波受信感度、受信位置、電池残量として設定される。ここで、電池残量が「充電中」の場合は、電池残量は１００％と見なせばよい。
【０１０２】
なお、上記代表情報を生成する処理は、携帯型録画装置１１の動作状況検出部２９が実行し、情報出力部３０が、代表情報を据置型録画装置１２に送信することとしてもよいし、据置型録画装置１２の表示制御部４６が、携帯型録画装置１１から受信した動作状況情報を基にして実行することとしてもよい。
【０１０３】
また、上記実施形態では、据置型録画装置１２が、ユーザにより入力された設定情報における曜日と同じ曜日であって、ユーザにより入力された設定情報における時間帯に検出時刻が含まれる動作状況の情報を動作状況情報４４ｄから検索し、検索の結果得られた情報を、録画を行う日時における携帯型録画装置１１の動作状況の予測情報としてテレビ受像機１６に表示させることとしたが、携帯型録画装置１１が上記検索を行い、検索の結果得られた情報を据置型録画装置１２に送信し、据置型録画装置１２がその情報を受信してテレビ受像機１６に表示させることとしてもよい。
【０１０４】
この場合、ユーザが入力部４０、あるいは、リモコン１８を操作して録画予約の設定情報を入力し、さらに録画予約を行う録画装置として携帯型録画装置１１を選択した場合に、据置型録画装置１２の表示制御部４７は、ユーザにより入力された設定情報に含まれる曜日、および、時間帯の情報を携帯型録画装置１１に送信する。携帯型録画装置１１の情報出力部３０は、ネットワーク接続処理部２１を介して曜日、および、時間帯の情報を受信し、その曜日と同じ曜日であって、その時間帯に検出時刻が含まれる動作状況の情報を記憶部２７に記憶された動作状況情報２７ｄから検索し、検索の結果得られた情報を据置型録画装置１２に送信する。そして、据置型録画装置１２の表示制御部４７は、携帯型録画装置１１により送信された動作状況の情報を受信し、受信した情報をテレビ受像機１６に表示させる。
【０１０５】
このように、本発明では、情報出力部３０は、録画を実行する時間帯の指定を含む動作状況の情報の送信要求を他の装置から受信した場合に、該時間帯に含まれる時刻に検出した動作状況の情報を記憶部２７から検索し、検索の結果得られた動作状況の情報を他の装置に出力する。
【０１０６】
また、本発明では、情報出力部３０は、録画を実行する時間帯に加えて、録画を実行する曜日の指定を含む動作状況の情報の送信要求を他の装置から受信した場合に、該曜日と同じ曜日、および、該時間帯に含まれる時刻に検出された動作状況の情報を記憶部２７から検索し、検索の結果得られた動作状況の情報を他の装置に出力する。
【０１０７】
さらに、本発明では、自装置の動作状況は、放送波の受信感度の状況、放送波の受信位置の状況、自装置の電池残量の状況を含む。なお、自装置の動作状況は、放送波の受信感度の状況、放送波の受信位置の状況、携帯型録画装置１１の電池残量の状況のすべての状況を含む必要は必ずしもなく、少なくとも１つの状況を含めばよい。
【０１０８】
これにより、携帯型録画装置１２は、動作状況情報２７ｄとして登録された情報のすべてを据置型録画装置１２に送信する必要が無くなり、通信負荷が軽減される。
【０１０９】
また、上記実施形態では、録画を行う日時における携帯型録画装置１１の動作状況の予測情報をテレビ受像機１６が表示することとしたが、携帯型録画装置１１がそれを表示することとしてもよい。例えば、ユーザが、携帯型録画装置１１の入力部２３を介して、録画予約を設定する対象として携帯型録画装置１１を指定し、さらに録画予約の設定情報を入力した場合に、情報出力部３０は、ユーザにより入力された設定情報に含まれる曜日、および、時間帯の情報を取得し、その曜日と同じ曜日であって、その時間帯に検出時刻が含まれる動作状況の情報を記憶部２７に記憶された動作状況情報２７ｄから検索する。そして、表示制御部４７は、検索の結果得られた動作状況の情報を、図９に一例を示すような表示態様で表示部２４に表示させる。これにより、ユーザは、携帯型録画装置１１において、携帯型録画装置１１の動作状況の予測情報を確認することができ、予約録画が失敗する危険性を回避することができる。
【０１１０】
なお、ユーザが携帯型録画装置１１の入力部２３を介して設定情報を入力した場合だけでなく、ユーザが据置型録画装置１２の入力部４０、あるいは、リモコン１８を操作して録画予約の設定情報を入力し、さらに録画予約を行う録画装置として携帯型録画装置１１を選択した場合に、携帯型録画装置１１の情報出力部３０が、ネットワーク接続処理部２１を介して、上記設定情報に含まれる曜日、および、時間帯の情報を受信し、その曜日と同じ曜日であって、その時間帯に検出時刻が含まれる動作状況の情報を記憶部２７に記憶された動作状況情報２７ｄから検索することとしてもよい。
【０１１１】
また、上記実施形態では、ユーザにより録画予約の設定情報として入力された曜日と同じ曜日で、上記設定情報として入力された時間帯に含まれる時刻に検出された動作状況の情報を動作状況の予測情報として表示することとしたが、曜日にかかわらず、ユーザにより録画予約の設定情報として入力された時間帯に含まれる時刻に検出された動作状況の情報を動作状況の予測情報として表示することとしてもよい。ユーザの行動は時間帯に応じてある程度パターン化されていると考えられるので、ユーザにより設定情報として入力された時間帯に含まれる時刻に検出された動作状況の情報を用いることにより、予約された日時における携帯型録画装置の動作状況を予測することができる。
【符号の説明】
【０１１２】
１０…録画システム、１１…携帯型録画装置、１２，１３…据置型録画装置、１４…アクセスポイント、１５…ＬＡＮ、１６…テレビ受像機、１７…ＨＤＭＩケーブル、１８…リモコン、２０…放送受信部、２１…ネットワーク接続処理部、２２…位置座標算出部、２３…入力部、２４…表示部、２５…通話処理部、２６…通信処理部、２７…記憶部、２７ａ…ユーザ情報、２７ｂ…録画データ、２７ｃ…録画予約情報、２７ｄ…動作状況情報、２８…録画処理部、２９…動作状況検出部、３０…情報出力部、３１…制御部、４０…入力部、４１…リモコン信号受信部、４２…表示部、４３…通信処理部、４４…記憶部、４４ａ…録画データ、４４ｂ…録画予約情報、４４ｃ…装置別録画予約情報、４４ｄ…動作状況情報、４５…放送受信部、４６…録画処理部、４７…表示制御部、４８…装置設定部、４９…制御部、５０…録画予約設定画面、５１…設定入力領域、５２…登録ボタン、５３…キャンセルボタン、６０…動作状況情報表示画面、６１…予約番組情報表示領域、６２ａ〜６２ｃ…動作状況情報表示領域、６３…登録ボタン、６４…キャンセルボタン、７０…装置選択リスト、７１ａ〜７１ｃ…装置選択ボタン、７２…選択確定ボタン、７３…キャンセルボタン。
【図１】
2013026771.tif 000003
【図２】
2013026771.tif 000004
【図３】
2013026771.tif 000005
【図４】
2013026771.tif 000006
【図５】
2013026771.tif 000007
【図６】
2013026771.tif 000008
【図７】
2013026771.tif 000009
【図８】
2013026771.tif 000010
【図９】
2013026771.tif 000011
【図１０】
2013026771.tif 000012
【図１１】
2013026771.tif 000013
【図１２】
2013026771.tif 000014